(57)【要約】【課題】タッチパネルに凸部を有しつつ、凸部における視認性および操作性の低下を抑制できる入力表示装置を実現する。【解決手段】映像表示面１１ａを有する表示部１１と、表示部に重畳して配置されるタッチパネル２と、を有する入力表示装置は、タッチパネル２のうち表示部とは反対側の一面２ａから外部に突出する凸部２１を有する。凸部は、一面とは反対側の他面２ｂにおいて凹部とされ、表示部１１と当該凹部とにより形成される閉鎖空間を形成する。この閉鎖空間には、一端が映像表示面１１ａに面し、他端が凸部２１に面する導光部材３が充填されている。導光部材３は、一端と他端とを繋ぐ方向である延設方向に沿って、表示部１１で生じる光を凸部２１に伝達する。【選択図】図３
2020190832.tif 000002
【特許請求の範囲】
【請求項１】
映像表示面（１１ａ）を有する表示部（１１）と、
前記表示部に重畳して配置されると共に、前記表示部とは反対側の一面（２ａ）から外部に突出する凸部（２１）を有するタッチパネル（２）と、
前記表示部と前記凸部とにより形成される空間に充填される導光部材（３）と、を備え、
前記凸部は、前記タッチパネルのうち前記表示部と向き合う他面（２ｂ）においては、凹部とされると共に、前記凹部と前記表示部とにより前記空間を形成しており、
前記導光部材は、一端が前記映像表示面に面し、他端が前記凸部に面しており、前記一端と前記他端とを繋ぐ方向を延設方向として、前記延設方向に沿って前記表示部で生じる光を前記凸部に伝達する、入力表示装置。
【請求項２】
前記凸部の表面（２１ａ）のうち前記一面と連続する部分は、平坦な操作面（２１ａ１）とされており、
前記操作面は、前記一面とのなす角度が鋭角とされている、請求項１に記載の入力表示装置。
【請求項３】
前記導光部材は、複数の光ファイバが束ねられたものである、請求項１または２に記載の入力表示装置。
【請求項４】
前記複数の光ファイバは、前記延設方向がすべて揃えられている、請求項３に記載の入力表示装置。
【請求項５】
前記複数の光ファイバは、前記延設方向の異なる２種以上の光ファイバを有してなる、請求項３に記載の入力表示装置。
【請求項６】
前記複数の光ファイバは、前記延設方向と前記映像表示面に対する法線方向とのなす角度が前記凸部の表面形状に追従して連続的に変化する構成とされている、請求項５に記載の入力表示装置。
【発明の詳細な説明】
【技術分野】
【０００１】
本発明は、入力表示装置に関する。
【背景技術】
【０００２】
従来、各種映像を表示する表示部と、表示部上に重畳して配置されたタッチパネルとを備え、タッチパネルの操作により当該表示部に表示される映像上での入力操作が可能な構成とされた入力表示装置が知られている。
【０００３】
また、近年、この種の入力表示装置では、意匠性の向上やブラインドタッチによる操作性向上などの観点から、タッチパネル上に三次元形状を設けたいとのニーズが存在する。このようなニーズに対応するためは、例えば特許文献１に記載の入力表示装置のように、タッチパネル上に凸部を有する透明シートが配置された構造とすることが挙げられる。
【０００４】
なお、このような凸部は、表示部に表示される映像のうち各種機能が割り当てられた操作アイコン等の意匠が位置する領域と重なるように配置される。
【先行技術文献】
【特許文献】
【０００５】
【特許文献１】特開平０７−３１９６２３号公報
【発明の概要】
【発明が解決しようとする課題】
【０００６】
さて、上記した入力表示装置において、さらに意匠性を向上させるためには、凸部を所定以上の大きさとすることが考えられる。しかしながら、タッチパネル上に所定以上の大きさの凸部が存在する入力表示装置では、ユーザの視線方向によっては、凸部において視認性や操作性の低下が生じ得る。
【０００７】
具体的には、タッチパネル上に所定以上の大きさとされた凸部が設けられた場合、凸部の表面と表示部の表面との距離が大きくなると共に、これらの距離は、凸部の表面形状に伴って変化する。そのため、ユーザが凸部を斜視したとき、ユーザには、表示部に表示された映像のうち凸部の直下に位置する部分が、凸部の表面形状により歪んで見えてしまうことがある。
【０００８】
また、ユーザが凸部を斜視しているとき、平面表示される映像における操作アイコンの位置とタッチパネルのうち当該操作アイコンに対応する部分（以下「対応部分」という）の位置とがずれてしまい、ユーザは、対応部分と異なる位置に触れてしまい得る。これは、非作動や誤作動を引き起こし、操作性の低下の原因となる。
【０００９】
本発明は、上記の点に鑑み、表示部上に凸部を備えつつも、凸部における表示部に表示される映像の視認性の低下および操作性の低下を抑制できる入力表示装置を提供することを目的とする。
【課題を解決するための手段】
【００１０】
上記目的を達成するため、請求項１に記載の入力表示装置は、映像表示面（１１ａ）を有する表示部（１１）と、表示部に重畳して配置されると共に、表示部とは反対側の一面（２ａ）から外部に突出する凸部（２１）を有するタッチパネル（２）と、表示部と凸部とにより形成される閉鎖空間に充填される導光部材（３）と、を備え、凸部は、タッチパネルのうち表示部と向き合う他面（２ｂ）においては、凹部とされると共に、凹部と表示部とにより閉鎖空間を形成しており、導光部材は、一端が映像表示面に面し、他端が凸部に面しており、一端と他端とを繋ぐ方向を延設方向として、延設方向に沿って表示部で生じる光を凸部に伝達する。
【００１１】
これにより、凸部においては、導光部材により表示部からの光がその表面に伝達されることで、ユーザが凸部において表示部の映像が浮き上がって見える構成の入力表示装置となる。そのため、凸部の表面形状による映像の歪みが抑制され、視認性の低下が抑制される。
【００１２】
また、凸部の表面に映像が浮き上がって見えることで、凸部と表示部との距離に起因する、操作アイコンと凸部のうち当該操作アイコンの対応部分とのズレが抑制され、ユーザは、当該対応部分を正確にタッチすることができる。そのため、凸部と表示部との距離が大きい場合であっても、操作性の低下が抑制される。
【００１３】
よって、表面に凸部を備えつつも、視認性および操作性の低下を従来よりも抑制できる構成の入力表示装置となる。
【００１４】
なお、各構成要素等に付された括弧付きの参照符号は、その構成要素等と後述する実施形態に記載の具体的な構成要素等との対応関係の一例を示すものである。
【図面の簡単な説明】
【００１５】
【図１】第１実施形態の入力表示装置が車両に搭載された様子を示す図である。
【図２】図１の入力表示装置を示す平面図である。
【図３】図２中のIII-III間の断面構成を示す断面図である。
【図４】従来の入力表示装置におけるユーザのタッチ操作の様子を示す断面図である。
【図５】図１の入力表示装置におけるユーザのタッチ操作の様子を示す断面図である。
【図６】車両に搭載された第２実施形態の入力表示装置と運転席に着座したユーザとの位置関係を示す説明図である。
【図７】図６に示す入力表示装置のうち凸部の構成の一例を示す断面図である。
【図８】図６に示す入力表示装置のうち凸部の構成の他の一例を示す断面図である。
【図９】第２実施形態の入力装置の変形例を示す平面図である。
【図１０】図９に示す入力表示装置のうち運転席側の凸部を示す断面図である。
【図１１】図９に示す入力表示装置のうち助手席側の凸部を示す断面図である。
【図１２】第３実施形態の入力表示装置における凸部を示す断面図である。
【図１３】図１２中のXIII-XIIIの間の断面構成の一例を示す矢視図である。
【図１４】他の実施形態における凸部の構成例を示す断面図である。
【図１５】他の実施形態における凸部の他の構成例を示す断面図である。
【図１６】実施形態に係る入力表示装置が車両のサイドウィンドウに搭載された様子を示す図である。
【発明を実施するための形態】
【００１６】
以下、本発明の実施形態について図に基づいて説明する。なお、以下の各実施形態相互において、互いに同一もしくは均等である部分には、同一符号を付して説明を行う。
【００１７】
（第１実施形態）
第１実施形態の入力表示装置Ｓ１について、図１〜図３を参照して説明する。
【００１８】
図２では、説明の簡略化のため、図２の紙面上における左右方向を「Ｘ方向」とし、当該紙面上においてＸ方向と直交する方向を「Ｙ方向」として、これらの方向を矢印で示している。
【００１９】
入力表示装置Ｓ１は、例えば図１に示すように、表示器１と、表示器１に重畳して配置されたタッチパネル２とを備え、自動車などの車両ＶのインストルメントパネルＶ１などに搭載される車載用入力表示装置に適用されると好適である。入力表示装置Ｓ１は、車載用途に限られず、車両とは異なる移動体への搭載用途や他の用途にも用いられ得る。本実施形態では、入力表示装置Ｓ１が車載用途に適用された一例について説明する。
【００２０】
入力表示装置Ｓ１は、図２に示すように、各種の映像を表示する表示部１１を有する表示器１と、三次元形状の凸部２１が設けられたタッチパネル２とを備える。入力表示装置Ｓ１は、例えば車載用途の場合、車両Ｖに搭載される不図示の所定の車載機器と任意の通信ネットワークを介して接続され、ユーザがタッチパネル２を介して表示器１や所定の車載機器への入力操作をすることが可能な構成とされる。入力表示装置Ｓ１は、例えば、図１に示すように、センターインフォメーションディスプレイ（ＣＩＤ）などの用途で用いられる。
【００２１】
なお、所定の車載機器は、例えば、ナビゲーション装置、カーエアコン、車両制御装置、オーディオ装置、およびバックカメラ装置などとされ得るが、これらに限定されない。
【００２２】
表示器１は、表示部１１を有し、例えば液晶ディスプレイや有機ＥＬ（エレクトロルミネッセンス）ディスプレイなどの任意の表示装置である。表示器１は、ユーザが表示部１１を視認でき、かつ表示部１１に対して重畳配置されたタッチパネル２に触れることができる任意の位置（例えばインストルメントパネルＶ１など）に配置される。表示器１は、例えば、任意の通信ネットワークを介して接続された所定の車載機器に対応する情報や操作用アイコン等を表示部１１に表示する。
【００２３】
以下、説明の便宜上、図３に示すように、表示部１１のうち各種映像を表示する面を「映像表示面１１ａ」と称する。
【００２４】
タッチパネル２は、図３に示すように、表示部１１のうち映像表示面１１ａと重畳して配置される透明体である。タッチパネル２は、表示部１１に表示される映像を透過させると共に、タッチパネル２のうち表示部１１とは反対側の一面２ａにおけるユーザの接触箇所に応じた信号を出力する。タッチパネル２は、映像表示面１１ａの反対側、すなわち外部に突出する凸部２１を備える。凸部２１のうち映像表示面１１ａの反対側の面を表面２１ａとし、その逆側の面を裏面２１ｂとして、タッチパネル２は、凸部２１の裏面２１ｂと映像表示面１１ａとの間に空間が形成される構成とされる。
【００２５】
タッチパネル２は、例えば、静電容量式とされ、図２におけるＸ方向に沿って延設された複数の第１電極と、Ｙ方向に沿って延設された複数の第２電極とが格子状に配列されると共に、任意の絶縁性材料により覆われてなる。この場合、タッチパネル２は、その一面２ａに指等の操作体が置かれたときに、一面２ａにおける当該操作体の位置に応じて静電容量が変化する構成とされ、当該静電容量の信号を出力する構成とされる。
【００２６】
なお、タッチパネル２は、一面２ａに指等の操作体が置かれたときに、その位置に応じた信号を出力する構成であればよく、静電容量式に限定されず、感圧式などの他の任意の方式とされてもよい。タッチパネル２が出力する操作体の位置に応じた信号は、例えば、不図示の制御部などに出力され、表示部１１に表示された操作アイコンなどに割り当てられた所定の車載機器などへの入力操作に用いられる。
【００２７】
第１電極および第２電極は、凸部２１における曲面形状に追従できるように、例えば、銅や銀などによりなるメッシュ配線とされる。また、これらの電極は、例えば、ＰＥＤＯＴ／ＰＳＳ（ポリエチレンジオキシチオフェン／ポリスチレンスルホン酸）などの高分子材料やカーボンナノチューブなどの導電性および延性を有する有機系材料により構成されてもよい。
【００２８】
凸部２１は、ユーザが指等の操作体により接触した際に、ユーザに触覚を呈示し、ユーザが一面２ａにおける操作位置を認識することを容易にするためのものである。換言すると、凸部２１は、ユーザによるタッチパネル２のブラインドタッチ操作を容易にするために設けられる。凸部２１は、本実施形態では、図３に示すように、断面視にて先端側の角部が曲面とされた四角形状とされるが、表示部１１とは反対側に突出する形状であればよく、適宜形状が変更されてもよい。凸部２１は、一面２ａの反対側の他面２ｂから見て、凹部となっており、映像表示面１１ａを覆うことで空間を形成する形状となっている。この空間は、例えば図３に示すように、閉鎖空間とされるが、完全に閉鎖されていなくてもよい。
【００２９】
凸部２１は、本実施形態では、例えば図２に示すように、タッチパネル２に４つ形成され、平面視にてその外郭が角丸長方形状とされている。４つの凸部２１は、例えば、平面視にて、その長手方向をＸ方向に揃えた状態で互いに離れて配置されると共に、Ｘ方向において線対称な配置とされている。凸部２１は、例えば、表示部１１のＹ方向における一端側に近接して配置される。凸部２１と表示部１１とのなす空間には、図３に示すように、導光部材３が充填されている。
【００３０】
以下の説明においては、４つの凸部２１を区別するため、便宜上、図２に示すように、４つの凸部２１をＸ方向における左側から右側に向かって、「第１凸部２１Ａ」、「第２凸部２１Ｂ」、「第３凸部２１Ｃ」、「第４凸部２１Ｄ」と称することがある。
【００３１】
なお、本実施形態では、タッチパネル２が４つの凸部２１を備える例について説明するが、凸部２１の数、形状や配置等については任意であり、表示部１１に表示される映像（意匠）に合わせて適宜変更される。
【００３２】
導光部材３は、光を全反射により所定の方向に導光する部材であって、その一端と他端とを繋ぐ方向を延設方向として、一端または他端から入射した光を延設方向に沿って他方の端部へ伝達する。導光部材３は、例えば、石英、ＰＭＭＡ（ポリメタクリル酸メチル）、ＰＣ（ポリカーボネート）やＰＳ（ポリスチレン）などの任意の光学材料により構成される光ファイバとされる。具体的には、導光部材３は、複数の光ファイバが束ねられており、これらが任意の接着剤などにより接着されてなる。
【００３３】
なお、一本の光ファイバの直径は、任意であるが、例えば０．１２５ｍｍ〜０．５ｍｍ程度とされる。光ファイバの断面形状は、任意であるが、例えば円形状、六角形状、八角形状などとされる。
【００３４】
導光部材３は、その一端が映像表示面１１ａ側に面すると共に、他端が凸部２１の裏面２１ｂ側に面する配置とされ、表示部１１で生じる光を凸部２１に導光する。つまり、導光部材３は、表示部１１の映像の一部を凸部２１の表面２１ａに表示させるために用いられる。これにより、ユーザには、表示部１１での表示映像のうち凸部２１に覆われた部分が、凸部２１の表面２１ａに沿って浮き上がって表示されているように見える状態、すなわち三次元的な映像が表示された状態となる。導光部材３は、本実施形態では、複数の光ファイバの延設方向が揃えられると共に、その延設方向が映像表示面１１ａに対する法線方向（以下「表示面法線方向」という）に沿った状態で配置される。これは、凸部２１Ａ〜２１Ｄのいずれにおいても同様である。
【００３５】
以上が、本実施形態の入力表示装置Ｓ１の基本的な構成である。
【００３６】
次に、導光部材３による効果について、図４、図５を参照して説明する。
【００３７】
まず、従来の入力表示装置１００における映像表示について説明する。従来の入力表示装置１００は、図４に示すように、表示部１１と、表示部１１に重畳して配置された透明なタッチパネル１２とを備え、タッチパネル１２には、表示部１１とは反対側に突出する突起部１２１が形成されている。
【００３８】
従来の入力表示装置１００は、表示部１１に表示される映像のうち突起部１２１に覆われた部分においても、映像の残部と同様に、映像表示面１１ａに表示された、いわば二次元的な映像を表示する。言い換えると、従来の入力表示装置１００では、ユーザには、突起部１２１においては、突起部１２１よりも奥側に映像が表示されて見えることになる。
【００３９】
具体的には、図４に示すように、ユーザには、突起部１２１を斜視している状態では、表示部１１に表示された操作アイコンが突起部１２１の表面よりも奥側に表示されて見える。この状態においては、当該操作アイコンは、ユーザの視線方向によっては、突起部１２１の表面形状により歪んで見えることがある。そのため、従来の入力表示装置１００は、突起部１２１により視認性が低下し得る。
【００４０】
また、突起部１２１の表面と表示部１１の表面との距離が、タッチパネル２の他の部分よりも大きいため、斜視状態では、ユーザは、操作アイコンが突起部１２１の表面のうち当該操作アイコンに対応する領域とは異なる領域の奥に表示されていると認識する。そのため、ユーザは、当該操作アイコンのタッチ操作に際して、突起部１２１のうち当該操作アイコンに対応する領域とは異なる領域をタッチしてしまい得る。つまり、図４に示すように、実際のタッチ領域とユーザがタッチ操作しようとした操作アイコンに対応する領域との間にズレが生じてしまうため、誤作動や非作動の原因となり、操作性の低下に繋がるおそれがある。
【００４１】
なお、上記した視認性および操作性の低下については、平坦形状のタッチパネル上に突起部１２１と同様の突起を備える透明シートを重畳した構成であっても同様に生じ得る。
【００４２】
これに対して、本実施形態の入力表示装置Ｓ１は、図５に示すように、タッチパネル２が凸部２１を備え、凸部２１と表示部１１とによりなる空間に導光部材３が充填された構成である。入力表示装置Ｓ１では、凸部２１の直下に位置する操作アイコンは、凸部２１の奥側ではなく、導光部材３により凸部２１の表面２１ａに浮き上がって表示される。つまり、当該操作アイコンは、表示部と凸部２１の表面との距離によらず、ユーザが視認しやすい状態とされている。これにより、当該操作アイコンが凸部２１の表面形状により歪んで見えることが抑制され、視認性が向上する。
【００４３】
また、凸部２１の直下に位置する操作アイコンは、光ファイバなどで構成される導光部材３により光の向きが制限されるため、斜視状態では、ユーザに視認されにくい。逆に言えば、当該操作アイコンは、図５に示すように、凸部２１のうち当該操作アイコンに対応する位置とのズレが所定以下となる角度で視認される状態となっている。そのため、ユーザは、当該操作アイコンをタッチ操作するに際して、当該操作アイコンに対応する領域を正確にタッチすることになる。これにより、ユーザが凸部２１のうち当該操作アイコンに対応する領域からずれた領域をタッチ操作することが抑制され、誤作動や非作動が生じず、操作性が向上する。
【００４４】
本実施形態によれば、表示部１１上に凸部２１を備えることでブラインドタッチによる操作性を向上させつつも、凸部２１において映像の視認性の低下および操作性の低下を抑制できる入力表示装置Ｓ１となる。また、導光部材３により表示部１１での表示映像が凸部２１の表面に浮き上がって見えることから、凸部２１が所定以上の大きさとされた場合であっても、視認性および操作性の低下が抑制されるため、凸部２１の形状や寸法の自由度を従来よりも高くできる。
【００４５】
（第２実施形態）
第２実施形態の入力表示装置Ｓ２について、図６、図７を参照して説明する。図７では、図２に示すＸ方向における凸部２１の断面を示すと共に、図６の運転席Ｖ３側および助手席Ｖ４側に対応する方向を矢印で示している。
【００４６】
本実施形態の入力表示装置Ｓ２は、導光部材３が映像表示面１１ａに対して直角とは異なる所定の角度θだけ傾いて配置されている点が上記第１実施形態と相違する。本実施形態では、この相違点について主に説明する。
【００４７】
入力表示装置Ｓ２は、例えば、図６に示すように、車両ＶのインストルメントパネルＶ１の長手方向における中央位置に配置され、ＣＩＤとして用いられる。車両Ｖの運転席Ｖ３に着座しているユーザが正面のステアリングＶ２側を見ている状態の角度を０°として、入力表示装置Ｓ２は、当該ユーザから見て所定の角度θ１（０°＜θ１＜９０°）の方向に位置している。言い換えると、入力表示装置Ｓ２は、図６に示すように、上面視にて、表示面法線方向と入力表示装置Ｓ２を見ている当該ユーザの視線方向とのなす角が所定の角度θ１となる配置となっている。
【００４８】
導光部材３は、例えば図７に示すように、複数の光ファイバがＸ方向において所定の角度θ１だけ傾いて配置された構成となっている。具体的には、複数の光ファイバは、その延設方向と映像表示面１１ａに対する法線方向とのなす角度（以下「光ファイバの角度」という）が所定の角度θ１となる配置とされている。つまり、導光部材３を構成する複数の光ファイバは、運転席Ｖ３に着座しているユーザの方向を向いた状態となっている。
【００４９】
光ファイバの角度θ１は、入力表示装置Ｓ２とユーザとの相対位置に応じて、適宜変更される。光ファイバの角度θは、複数の凸部２１においてすべて同一でもよいし、例えば、図２の第１凸部２１Ａでは３１°、第２凸部２１Ｂでは３０°、第３凸部２１Ｃでは２９°、第４凸部２１Ｄでは２８°、といった具合に凸部２１の位置に応じて異なってもよい。
【００５０】
本実施形態によれば、上記第１実施形態の効果に加えて、ユーザが凸部２１ごとに視線方向を変えずとも、各凸部２１Ａ〜２１Ｄにおいて映像をより視認しやすくなるとの効果が得られる入力表示装置Ｓ２となる。
【００５１】
（第２実施形態の変形例１）
上記の第２形態では、光ファイバがすべて運転席側に向かって傾いた状態とされた例について説明したが、光ファイバは、図８に示すように、凸部２１の位置に応じて、助手席側に向かって傾いた状態とされてもよい。
【００５２】
なお、図８では、図７と同様に、図２に示すＸ方向における凸部２１の断面を示すと共に、図６の運転席Ｖ３側および助手席Ｖ４側に対応する方向を矢印で示している。
【００５３】
例えば、光ファイバは、図２の第１凸部２１Ａおよび第２凸部２１Ｂでは、図８に示すように助手席Ｖ４側に所定の角度θ２（０°＜θ２＜９０°）だけ傾いて配置される。また、光ファイバは、第３凸部２１Ｃおよび第４凸部２１Ｄでは、図７に示すように運転席Ｖ３側に所定の角度θ１だけ傾いて配置される。このように、光ファイバの向きは、凸部２１の位置に応じて適宜変更されてもよい。また、所定の角度θ２は、入力表示装置Ｓ２とユーザとの位置関係に応じて、適宜変更されてもよい。
【００５４】
本変形例によれば、運転席Ｖ３に着座している第１のユーザに対する視認性の低下が抑制された凸部２１、および助手席Ｖ４に着座している第２のユーザに対する視認性の低下が抑制された凸部２１を備える入力表示装置Ｓ２となる。
【００５５】
なお、本変形例によれば、ユーザが、運転席Ｖ３側からのみ映像を視認できる凸部２１と、助手席Ｖ４側からのみ映像を視認できる凸部２１とを有する構成となる。言い換えると、運転席Ｖ３に着座するユーザが所定の凸部２１における映像の視認を制限されるため、脇見運転に繋がるおそれのある表示を当該所定の凸部２１（助手席Ｖ４側の凸部２１）に覆われた部分に割り当てることで、脇見運転を抑制する効果も期待される。
【００５６】
（第２実施形態の変形例２）
上記の変形例１において、凸部２１は、例えば図９〜図１１に示すように、表面２１ａに操作面２１ａ１を有すると共に、操作面２１ａ１が第１のユーザまたは第２のユーザに向く状態とされてもよい。
【００５７】
なお、図１０、図１１では、導光部材３、すなわち光ファイバの延設方向を破線で示している。また、図１０は、図９に示すX-X間の断面図であり、図１１は、図９に示すXI-XI間の断面図である。
【００５８】
具体的には、凸部２１は、図１０または図１１に示すように、その断面形状が三角形状であり、表面２１ａのうち一部がユーザによるタッチ操作可能な操作面２１ａ１とされている。操作面２１ａ１は、例えば、導光部材３を構成する光ファイバの延設方向に対して直交する面とされる。また、光ファイバは、ユーザが操作面２１ａ１を正面視したときの視線方向の角度と表面法線方向とのなす角度に沿った、延設方向とされる。
【００５９】
例えば、図１０に示すように、助手席Ｖ４に着座するユーザが、第１凸部２１Ａの操作面２１ａ１を見た状態での視線方向と表示面法線方向とのなす角度がθ３である場合、光ファイバは、その延設方向と表示面法線方向とのなす角度がθ３とされる。図１１に示すように、運転席Ｖ３に着座するユーザが、第４凸部２１Ｄの操作面２１ａ１を見た状態での視線方向と表示面法線方向とのなす角度がθ４である場合、光ファイバは、その延設方向と表示面法線方向とのなす角度がθ４とされる。言い換えると、光ファイバは、その延設方向が、ユーザが凸部２１Ａ〜２１Ｄの操作面２１ａ１を正面視したときの視線方向に応じて適宜調整される。さらに言えば、操作面２１ａ１と映像表示面１１ａとのなす角度に応じて、操作面２１ａ１を正面視したときのユーザの視線方向が変わるため、光ファイバの延設方向は、当該角度に応じて適宜変更され得る。
【００６０】
また、凸部２１は、図１０、図１１に示すように、タッチパネル２の一面２ａと凸部２１の操作面２１ａ１とのなす角度が鋭角となる形状である。そのため、ユーザには、これらの面で表示される映像が途切れることなく連続し、かつ操作面２１ａ１に沿って浮き上がって見えることになる。
【００６１】
本変形例によれば、上記変形例１よりもさらに凸部２１における映像の視認性が向上した構成の入力表示装置Ｓ２となる。
【００６２】
（第３実施形態）
第３実施形態の入力表示装置Ｓ３について、図１２、図１３を参照して説明する。図１２では、図２におけるＸ方向に沿った凸部２１の断面を示すと共に、別断面の後述する光ファイバ３２を破線で示している。図１３では、見やすくするため、複数の光ファイバ３１、３２を接着する接着剤を省略している。
【００６３】
本実施形態の入力表示装置Ｓ３は、例えば図１２に示すように、導光部材３が、１つの凸部２１において、互いに延設方向の異なる第１の光ファイバ３１および第２の光ファイバ３２を有した構成とされている点が上記第１実施形態と相違する。本実施形態では、この相違点について主に説明する。
【００６４】
導光部材３は、例えば、図１２に示すように、図１２の紙面左右方向（すなわちＸ方向）における右側に向かって傾いた第１の光ファイバ３１と、同方向における左側に向かって傾いた第２の光ファイバ３２とを有してなる。例えば、導光部材３は、図１３に示すように、Ｘ方向に沿って複数本が束ねられた第１の光ファイバ３１および第２の光ファイバ３２が、Ｙ方向において交互に配列されてなる。これにより、第１の光ファイバ３１の延設方向の延長線上および第２の光ファイバ３２の延設方向の延長線上の二方向において、凸部２１の直下に位置する映像を視認できる構成となる。
【００６５】
本実施形態によれば、上記第１実施形態の効果に加えて、複数の方向から凸部２１において映像を視認できるとの効果が得られる。なお、上記では、導光部材３は、異なる延設方向とされた２種の光ファイバにより構成された例について示したが、３種以上の光ファイバで構成されてもよい。
【００６６】
（他の実施形態）
本発明は、実施例に準拠して記述されたが、本発明は当該実施例や構造に限定されるものではないと理解される。本発明は、様々な変形例や均等範囲内の変形をも包含する。加えて、様々な組み合わせや形態、さらには、それらの一要素のみ、それ以上、あるいはそれ以下、を含む他の組み合わせや形態をも、本発明の範疇や思想範囲に入るものである。
【００６７】
（１）例えば、凸部２１は、その断面形状が、図１４に示すように台形状であってもよいし、図１５に示すようにドーム状であってよいし、他の任意の形状とされてもよい。
【００６８】
また、上記各実施形態では、導光部材３が、延設方向が直線状に揃えられた複数の光ファイバにより構成された例について説明したが、図１４や図１５に示すように、一部の光ファイバは、曲げられた状態であってもよい。すなわち、導光部材３を構成する複数の光ファイバのうち一部の光ファイバは、凸部２１の表面２１ａの形状に応じて、一部が曲線状とされ得る。言い換えると、導光部材３は、延設方向と映像表示面１１ａに対する法線方向とのなす角度が凸部２１の表面形状に追従して連続的に変化する構成とされている。
【００６９】
これにより、タッチパネル２の一面２ａと凸部２１の表面２１ａとの間において、表示部１１の映像が途切れることなく連続し、かつ、表示部１１において浮き上がって見える構成の入力表示装置となる。
【００７０】
（２）上記各実施形態では、入力表示装置がＣＩＤとして適用された例について説明したが、図１６に示すように、車両Ｖのサイドウィンドウに搭載され、サイドウィンドウ表示装置として適用されてもよい。なお、図１６では、表面法線方向を一点鎖線で示している。
【００７１】
この入力表示装置Ｓ４は、例えば表示器１が透明ＥＬディスプレイとされ、タッチパネル２の凸部２１が互いに向き合う状態とされた座席Ｖ５に着座した乗員からの視線方向に応じて、導光部材３の延設方向が調整された構成とされる。例えば、凸部２１は、断面形状が操作面２１ａ１を有する三角形状とされる。この場合において、上記の乗員が操作面２１ａ１を正面視したときの視線方向と表面法線方向とのなす角度がθ５である場合、導光部材３は、その延設方向と表面法線方向とのなす角度がθ５とされる。これにより、それぞれの乗員（ユーザ）の向きに合わせて凸部２１における視認性を向上されることができる構成となる。
【符号の説明】
【００７２】
１１      表示部
１１ａ    映像表示面
２        タッチパネル
２ａ      一面
２ｂ      他面
２１      凸部
２１ａ    表面
２１ａ１  操作面
３        導光部材
【図１】
2020190832.tif 000003
【図２】
2020190832.tif 000004
【図３】
2020190832.tif 000005
【図４】
2020190832.tif 000006
【図５】
2020190832.tif 000007
【図６】
2020190832.tif 000008
【図７】
2020190832.tif 000009
【図８】
2020190832.tif 000010
【図９】
2020190832.tif 000011
【図１０】
2020190832.tif 000012
【図１１】
2020190832.tif 000013
【図１２】
2020190832.tif 000014
【図１３】
2020190832.tif 000015
【図１４】
2020190832.tif 000016
【図１５】
2020190832.tif 000017
【図１６】
2020190832.tif 000018